(57)【要約】【課題】本発明は、送受信間で送受される無線信号を同調させる作業を簡略化できる通信システム、それを用いたデモンストレーション装置及び照明装置並びに通信システムの通信方法を提供することを目的とする。【解決手段】通信システム１は、外部から入力する入力信号に基づくトリガ信号ＳＩＧを出力するトリガ装置７と、トリガ装置７の出力するトリガ信号ＳＩＧが入力する送信モジュール３と、送信モジュール３が送信する電波ＲＷを受信する受信モジュール５と、通信システム１における制御対象であって受信モジュール５が出力する制御信号ＣＴＬによって制御される制御対象装置９とを有している。【選択図】図１
2016127332.tif 000002
【特許請求の範囲】
【請求項１】
入力するトリガ信号に基づく入力データをＵＨＦ帯の電波に変調して外部に送信する送信モジュールと、
前記送信モジュールが送信する電波を受信可能に同調され、受信した前記電波を復調した前記入力データに基づいて、制御対象装置を制御する制御信号を生成して前記制御対象装置に出力する受信モジュールと
を有する通信システム。
【請求項２】
前記ＵＨＦ帯は、３００ＭＨｚ帯、４００ＭＨｚ帯又は９００ＭＨｚ帯である
請求項１記載の通信システム。
【請求項３】
前記送信モジュールは、
前記入力データを生成する入力データ生成部を備えた送信制御回路と、
前記送信制御回路に制御されて前記入力データを前記ＵＨＦ帯の電波に変調するデータ変調部を備えた送信回路と、
前記電波を前記外部に送信する送信アンテナと
を有する請求項１又は２に記載の通信システム。
【請求項４】
前記受信モジュールは、
前記電波を受信する受信アンテナと、
前記電波から前記入力データを復調データとして復調するデータ復調部を備えた受信回路と、
前記受信回路から取得した前記復調データに基づく前記制御信号を生成する制御信号生成部を備えた受信制御回路と
を有する請求項１から３までのいずれか一項に記載の通信システム。
【請求項５】
前記送信モジュールには、複数種類の前記トリガ信号が入力され、
前記送信モジュールは、前記トリガ信号の種類に関する情報を含む前記入力データを生成する
請求項１から４までのいずれか一項に記載の通信システム。
【請求項６】
複数の前記送信モジュールを有し、
前記送信モジュールは、自己を示す識別情報を含めて前記入力データを生成し、
前記受信モジュールは、予め設定された識別情報を含む前記電波のみを受信する
請求項１から５までのいずれか一項に記載の通信システム。
【請求項７】
請求項１から６までのいずれか一項に記載の通信システムと、
前記トリガ信号を出力するトリガ装置と、
前記制御対象装置と
を有するデモンストレーション装置。
【請求項８】
前記送信モジュールは、前記トリガ信号が入力する第１入力コネクタを有し、
前記トリガ装置は、前記１入力コネクタに接続されて前記トリガ信号を前記入力コネクタに出力する第１出力コネクタを有する
請求項７記載のデモンストレーション装置。
【請求項９】
前記トリガ装置は、
回転可能な磁気エンコーダと、
前記磁気エンコーダが出力する信号をもとに、回転方向信号及び回転数信号のうち少なくとも１つを生成し、前記トリガ信号として検出する検出部と
を有する請求項７又は８記載のデモンストレーション装置。
【請求項１０】
前記受信モジュールは、前記制御信号を出力する第２出力コネクタを有する
請求項７から９までのいずれか一項に記載のデモンストレーション装置。
【請求項１１】
前記制御対象装置は、
発光素子と、
前記第２出力コネクタに接続されて前記制御信号が入力する第２入力コネクタと、
前記制御信号に基づいて前記発光素子を駆動する駆動信号を生成する発光素子駆動回路と
を有する請求項７から１０までのいずれか一項に記載のデモンストレーション装置。
【請求項１２】
請求項１から６までのいずれか一項に記載の通信システムと、
前記制御対象装置に設けられた光源と
を有する照明装置。
【請求項１３】
前記送信モジュールを有し、前記ＵＨＦ帯の電波を送信するリモートコントロール装置と、
前記受信モジュールと前記光源とを備えた照明器具本体と
を有する請求項１２記載の照明装置。
【請求項１４】
入力するトリガ信号に基づく入力データをＵＨＦ帯の電波に変調し、
変調した前記電波を外部に送信し、
前記外部に送信された前記電波を受信可能に同調された受信部で受信し、
受信した前記電波から復調した前記入力データに基づいて、制御対象装置を制御する制御信号を生成し、
生成した前記制御信号を前記制御対象装置に出力する
通信システムの通信方法。
【発明の詳細な説明】
【技術分野】
【０００１】
本発明は、通信システム、それを用いたデモンストレーション装置及び照明装置並びに通信システムの通信方法に関する。
【背景技術】
【０００２】
無線信号を用いる装置として、例えば照明装置が知られている（特許文献１）。特許文献１に記載された照明装置は、照明操作装置１０００を操作することによって、室内において天井などの離れた場所に設けられた照明器具２０００の点灯操作などを行うことができる。
【０００３】
また、無線信号を用いる技術として、リモートキーレスエントリーシステムが知られている。リモートキーレスエントリーシステムは、車両のドアやトランクをこの車両から離れた場所から開錠したり施錠したりできるシステムである。リモートキーレスエントリーシステムでは例えば、車両の鍵に送信機を備え、車両の制御部の一部に受信機を備えている。
【先行技術文献】
【特許文献】
【０００４】
【特許文献１】特開２００９−１４０８６３号公報
【発明の概要】
【発明が解決しようとする課題】
【０００５】
無線信号を用いる装置やキーレスエントリーシステムでは、その装置やシステムごとに無線信号を送信する側及び受信する側を開発し、送受信間を同調（チューニング）する必要がある。このため、無線信号を用いる装置やキーレスエントリーシステムでは、開発期間が長くなったり開発コストが高くなったりするという問題がある。
【０００６】
本発明の目的は、送受信間で送受される無線信号を同調させる作業を簡略化できる通信システム、それを用いたデモンストレーション装置及び照明装置並びに通信システムの通信方法を提供することにある。
【課題を解決するための手段】
【０００７】
上記目的を達成するために、本発明の一態様による通信システムは、入力するトリガ信号に基づく入力データをＵＨＦ帯の電波に変調して外部に送信する送信モジュールと、前記送信モジュールが送信する電波を受信可能に同調され、受信した前記電波を復調した前記入力データに基づいて、制御対象装置を制御する制御信号を生成して前記制御対象装置に出力する受信モジュールとを有することを特徴とする。
【０００８】
また、上記目的を達成するために、本発明の一態様によるデモンストレーション装置は、上記一態様による通信システムと、前記トリガ信号を出力するトリガ装置と、前記制御対象装置とを有することを特徴とする。
【０００９】
また、上記目的を達成するために、本発明の一態様による照明装置は、上記一態様による通信システムと、前記制御対象装置に設けられた光源とを有することを特徴とする。
【００１０】
さらに、上記目的を達成するために、本発明の一態様による通信システムの通信方法は、入力するトリガ信号に基づく入力データをＵＨＦ帯の電波に変調し、変調した前記電波を外部に送信し、前記外部に送信された前記電波を受信可能に同調された受信部で受信し、受信した前記電波から復調した前記入力データに基づいて、制御対象装置を制御する制御信号を生成し、生成した前記制御信号を前記制御対象装置に出力することを特徴とする。
【発明の効果】
【００１１】
本発明の一態様によれば、送受信間で送受される無線信号を同調させる作業を簡略化できる。
【図面の簡単な説明】
【００１２】
【図１】本発明の一実施形態による通信システム１の概略構成を示すブロック図である。
【図２】本発明の一実施形態による通信システムを用いたデモンストレーション装置２の概略構成を示すブロック図である。
【図３】本発明の一実施形態による通信システムを用いたデモンストレーション装置２の通信方法の流れの一例を示すフローチャート（その１）である。
【図４】本発明の一実施形態による通信システムを用いたデモンストレーション装置２の通信方法の流れの一例を示すフローチャート（その２）である。
【図５】本発明の一実施形態による通信システムを用いた照明装置４の概略構成を示すブロック図である。
【図６】本発明の一実施形態による通信システムを用いた通報システム６の概略構成を示すブロック図である。
【図７】本発明の一実施形態による通信システムを用いた発光システム８の概略構成を示すブロック図（その１）である。
【図８】本発明の一実施形態による通信システムを用いた発光システム８の概略構成を示すブロック図（その２）である。
【図９】本発明の一実施形態による通信システムを用いた他のデモンストレーション装置の概略構成を示すブロック図である。
【発明を実施するための形態】
【００１３】
（通信システムの構成）
本発明の一実施形態による通信システム、それを用いたデモンストレーション装置及び照明装置並びに通信システムの通信方法について図１から図９を用いて説明する。本実施形態による通信システム１の概略構成及び通信システム１の通信方法について図１を用いて説明する。図１は、本実施形態による通信システム１の概略構成を示すブロック図である。
【００１４】
図１に示すように、本実施形態による通信システム１は、外部から入力する入力信号に基づくトリガ信号ＳＩＧを出力するトリガ装置７と、トリガ装置７の出力するトリガ信号ＳＩＧが入力する送信モジュール３と、送信モジュール３が送信する電波ＲＷを受信する受信モジュール５と、通信システム１における制御対象であって受信モジュール５が出力する制御信号ＣＴＬによって制御される制御対象装置９とを有している。送信モジュール３及び受信モジュール５の間で送受されるＵＨＦ帯の電波ＲＷは例えば、３００ＭＨｚ帯、４００ＭＨｚ帯又は９００ＭＨｚ帯の電波である。
【００１５】
トリガ装置７は、通信システム１が用いられる装置やシステムに応じて種々の構成を取り得る。通信システム１が例えばデモンストレーション装置に用いられる場合には、デモンストレーション装置の使用者などが操作する操作部品を備えた信号入力装置がトリガ装置７として用いられる。また、通信システム１が例えば照明装置に用いられる場合には、照明装置の点灯や消灯などを操作するためのリモートコントロール装置がトリガ装置７として用いられる。トリガ装置７に入力する入力信号は、トリガ装置７の構成によって異なる。トリガ装置７が操作部品を有している場合の入力信号は、この操作部品が操作されることによって入力される操作信号である。また、トリガ装置７が照明装置のリモートコントロール装置の場合の入力信号は、リモートコントロール装置に備えられた種々のボタンの操作に基づく信号である。トリガ装置７は、これらの入力信号が入力されるとトリガ信号ＳＩＧを生成して送信モジュール３に出力する。トリガ装置７が出力するトリガ信号ＳＩＧは、送信モジュール３が受信モジュール５に対して電波を送信する契機となる信号である。トリガ装置７は、自己を識別するための識別情報を含むトリガ信号ＳＩＧを生成するように構成されていてもよい。
【００１６】
送信モジュール３は、入力するトリガ信号ＳＩＧに基づく入力データＤＡＴＡをＵＨＦ帯の電波ＲＷに変調して外部に送信するように構成されている。送信モジュール３は、入力するトリガ信号ＳＩＧに基づいて入力データＤＡＴＡを生成する入力データ生成部３１１を備えた送信制御回路３１と、送信制御回路３１に制御されて入力データＤＡＴＡをＵＨＦ帯の電波に変調するデータ変調部３３１を備えた送信回路３３とを有している。また、送信モジュール３は、送信回路３３において変調された電波に重畳するノイズを除去するノイズフィルタ３５と、ノイズが除去された電波を外部に送信する送信アンテナ３７とを有している。送信モジュール３は、例えば１枚のプリント回路基板を有している。送信制御回路３１、送信回路３３、ノイズフィルタ３５及び送信アンテナ３７は、このプリント回路基板上に設けられている。
【００１７】
送信制御回路３１は、例えば超小型演算装置（Ｍｉｃｒｏ−Ｐｒｏｃｅｓｓｉｎｇ  Ｕｎｉｔ：ＭＰＵ）で構成されている。送信制御回路３１は、送信モジュール３のプリント回路基板上に実装されている。送信制御回路３１は、トリガ装置７から入力するトリガ信号ＳＩＧを入力データ生成部３１１に送信する。入力データ生成部３１１は、トリガ信号ＳＩＧに含まれる情報を、送信回路３３がＵＨＦ帯の電波に変調可能なデジタル信号の入力データＤＡＴＡに変換する。入力データ生成部３１１は、トリガ信号ＳＩＧの種類に関する情報（例えば、トリガ装置７に入力する入力信号の種類）を含む入力データＤＡＴＡを生成する。また、入力データ生成部３１１は、入力データＤＡＴＡを生成する際に、送信モジュール３を識別するための識別情報を入力データに含めるように構成されている。さらに、入力データ生成部３１１は、入力データＤＡＴＡを生成する際に、トリガ装置７の識別情報をこの入力データＤＡＴＡに含めるように構成されていてもよい。送信制御回路３１は、入力データ生成部３１１が生成した入力データＤＡＴＡと、送信回路３３を制御するための制御信号とを送信回路３３に出力する。
【００１８】
送信回路３３は、例えばＵＨＦ帯の電波を送信する送信用集積回路で構成されている。送信回路３３は、送信モジュール３のプリント回路基板上に実装されている。送信回路３３は、送信制御回路３１から入力した制御信号に基づいて、入力データＤＡＴＡをＵＨＦ帯の電波ＲＷに変調する。送信回路３３は、送信制御回路３１から入力した入力データＤＡＴＡをデータ変調部３３１に送信する。データ変調部３３１は、例えばデジタル振幅変調又はデジタル周波数変調により入力データＤＡＴＡをＵＨＦ帯の電波ＲＷに変調する。送信回路３３は、データ変調部３３１が変調した電波ＲＷを出力する。
【００１９】
送信モジュール３は、送信回路３３が出力する電波ＲＷをノイズフィルタ３５を介して送信アンテナ３７から外部に送信する。ノイズフィルタ３５は例えば、送信モジュール３のプリント回路基板上に実装されたコンデンサで構成されている。
送信アンテナ３７は例えば、送信モジュール３のプリント回路基板上に形成されたパターンアンテナである。本実施形態による通信システム１では、送信アンテナ３７をパターンアンテナによって構成することにより、送信モジュール３の小型化が図られている。なお、送信アンテナ３７はパターンアンテナではなく外付けのアンテナでももちろんよい。
【００２０】
受信モジュール５は、送信モジュール３が送信する電波ＲＷを受信可能に同調（チューニング）されている。受信モジュール５は、受信した電波ＲＷを復調した入力データ（すなわち復調データＤＭＤ）に基づいて、制御対象装置９を制御する制御信号ＣＴＬを生成して制御対象装置９に出力するように構成されている。受信モジュール５は、送信モジュール３が送信する電波ＲＷを受信する受信アンテナ５７と、受信した電波ＲＷに重畳するノイズを除去するノイズフィルタ５５と、受信した電波ＲＷから入力データＤＡＴＡを復調データＤＭＤとして復調するデータ復調部５３１を備えた受信回路５３とを有している。また、受信モジュール５は、受信回路５３から取得した復調データＤＭＤに基づいて、制御信号ＣＴＬを生成する制御信号生成部５１１を備えた受信制御回路５１とを有している。また、通信システム１は、受信制御回路５１が生成した制御信号ＣＴＬで制御される制御対象装置９を有している。
【００２１】
受信モジュール５は、例えば１枚のプリント回路基板を有している。受信制御回路５１、受信回路５３、ノイズフィルタ５５及び受信アンテナ５７は、このプリント回路基板上に設けられている。
受信アンテナ５７は例えば、受信モジュール５のプリント回路基板上に形成されたパターンアンテナである。本実施形態による通信システム１では、受信アンテナ５７をパターンアンテナによって構成することにより、受信モジュール５の小型化が図られている。なお、受信アンテナ５７はパターンアンテナではなく外付けのアンテナでももちろんよい。
ノイズフィルタ５５は、受信アンテナ５７で受信した電波ＲＷに重畳するノイズを除去する。ノイズフィルタ５５は例えば、受信モジュール５のプリント回路基板上に実装されたコンデンサで構成されている。ノイズフィルタ５５は、ノイズを除去した電波ＲＷを受信回路５３に入力する。
【００２２】
受信回路５３は、例えばＵＨＦ帯の電波を受信する受信用集積回路で構成されている。受信回路５３は、受信モジュール５のプリント回路基板上に実装されている。受信回路５３は、送信モジュール３から送信される電波ＲＷを受信可能に同調されている。受信回路５３は、送信モジュール３から送信された電波ＲＷを受信すると割込み信号を発生し、この割込み信号を受信制御回路５１（詳細は後述）に出力するように構成されている。受信回路５５は、この割込み信号に対する応答信号を受信制御回路５１から受信すると、入力した電波ＲＷをデータ復調部５３１に出力する。データ復調部５３１は、電波ＲＷから入力ＤＡＴＡを復調データＤＭＤとして復調するようになっている。データ復調部５３１は、例えばデジタル振幅復調又はデジタル周波数復調により電波ＲＷをデジタル信号の復調データＤＭＤに復調する。復調データＤＭＤには、送信制御回路３１が入力データＤＡＴＡに含めたトリガ信号ＳＩＧの種類に関する情報及び送信モジュール３の識別情報が含まれている。また、送信制御回路３１がトリガ装置７の識別情報を入力データＤＡＴＡに含めた場合には、復調データＤＭＤには、トリガ装置７の識別情報も含まれる。受信回路５３は、電波ＲＷから復調した復調データＤＭＤを受信制御回路５１に出力する。
【００２３】
受信制御回路５１は、例えば超小型演算装置（Ｍｉｃｒｏ−Ｐｒｏｃｅｓｓｉｎｇ  Ｕｎｉｔ：ＭＰＵ）で構成されている。受信制御回路５１は、受信モジュール５のプリント回路基板上に実装されている。受信回路５３から割込み信号を受信すると、受信した電波ＲＷを復調データＤＭＤに復調することを指令する応答信号を受信回路５３に出力する。このように、受信制御回路５１は、受信回路５３を制御するようになっている。受信制御回路５１は、受信回路５３から入力する復調データＤＭＤに含まれる送信モジュール３の識別情報が予め設定された識別情報と一致する場合には、復調データＤＭＤを制御信号生成部５１１に出力するように構成されている。一方、受信制御回路５１は、受信回路５３から入力する復調データＤＭＤに含まれる送信モジュール３の識別情報が予め設定された識別情報と一致しない場合には、復調データＤＭＤを制御信号生成部５１１に出力しないように構成されている。これにより、受信制御回路５３は、制御対象装置９を制御するために必要な電波ＲＷを復調した復調データＤＭＤのみを制御信号生成部５１１に出力できる。
【００２４】
制御信号生成部５１１は、復調データＤＭＤからトリガ信号ＳＩＧの種類に関する情報を取得し、この情報から制御対象装置９を制御するための制御信号ＣＴＬを生成する。制御信号生成部５１１の構成は、受信モジュール５に接続される制御対象装置９に対応する制御信号を生成できるように、通信システム１を用いる装置やシステムの開発者が例えばパーソナルコンピュータなどによって容易に書き換えることができるようになっている。これにより、制御信号生成部５１１は、受信モジュール５に接続される制御対象装置９に対応する制御信号ＣＴＬを生成できる。受信制御回路５１は、制御信号生成部５１１が生成した制御信号ＣＴＬを制御対象装置９に出力する。
【００２５】
制御対象装置９は、通信システム１が用いられる装置やシステムに応じて種々の構成を取り得る。通信システム１が例えばデモンストレーション装置に用いられる場合には、デモンストレーション装置の使用者などの操作に応じて発光する発光素子の駆動回路が制御対象装置９となる。また、通信システム１が例えば照明装置に用いられる場合には、照明装置のリモートコントロール装置の操作に応じて点灯や消灯する照明器具本体が制御対象装置９となる。制御対象装置９には、制御対象装置９の構成に対応する制御信号ＣＴＬが入力される。このため、制御対象装置９は、入力する制御信号ＣＴＬに基づいて動作する。
【００２６】
（通信システムの通信方法）
次に、本実施形態による通信システム１の通信方法について説明する。
通信システム１の使用者がトリガ装置７を操作すると、トリガ装置７は、トリガ信号ＳＩＧを送信モジュール３に出力する。
次に、送信モジュール３は、トリガ装置７から入力するトリガ信号ＳＩＧに基づく入力データＤＡＴＡをＵＨＦ帯の電波ＲＷに変調する。その際、送信モジュール３は、送信制御回路３１において入力するトリガ信号ＳＩＧに基づいて入力データＤＡＴＡを生成し、送信回路３３において生成した入力データＤＡＴＡを電波ＲＷに変調する。
次に、送信モジュール３は、変調した電波ＲＷをノイズフィルタ３５及び送信アンテナ３７を介して外部に送信する。
次に、受信モジュール５は、外部に送信された電波ＲＷを受信アンテナ５７及びノイズフィルタ５５を介して、受信可能に同調された受信部としての受信回路５３で受信する。
次に、受信モジュール５は、受信した電波ＲＷから復調した入力データＤＡＴＡに基づいて、制御対象装置９を制御する制御信号ＣＴＬを生成する。その際、受信モジュール５は、受信回路５３において受信した電波ＲＷから入力データＤＡＴＡを復調データＤＭＤとして復調し、受信制御回路５１において復調データＤＭＤに基づく制御信号ＣＴＬを生成する。
次に、受信モジュール５は、生成した制御信号ＣＴＬを制御対象装置９に出力する。
次に、制御対象装置９は、入力する制御信号ＣＴＬに基づいて動作する。
【００２７】
以上説明したように、本実施形態による通信システム１では、送信モジュール３及び受信モジュール５は、電波ＲＷを送受可能に同調されている。このため、所定の装置やシステムを製造する製造者（開発者）は、これらの装置やシステムに通信システム１を組み込む際に送信モジュール３及び受信モジュール５の同調作業を行う必要がない。これにより、本実施形態による通信システム１によれば、送受信間で送受される無線信号を同調させる作業を簡略化できる。
【００２８】
また、通信システム１は、送信モジュール３及び受信モジュール５の間の送受にＵＨＦ帯の電波を用いている。ＵＨＦ帯の電波は、例えば２．４ＧＨｚ帯の電波に比べて、回折性に優れている。このため、例えば送信モジュール３と受信モジュール５とが屋内の異なる階に設置され、互いの間に種々の物体が存在していても、受信モジュール５は送信モジュール３が送信する電波ＲＷを受信することができる。
【００２９】
また、ＵＨＦ帯の電波は、例えば２．４ＧＨｚ帯の電波に比べて伝送距離が長い。例えば、２．４ＧＨｚ帯の電波の伝送距離が約１３ｍ（メートル）であるのに対し、３００ＭＨｚ帯の電波の伝送距離は約１００ｍであり、４００ＭＨｚ帯の電波の伝送距離は約８０ｍであり、９００ＭＨｚ帯の電波の伝送距離は約３４ｍである。したがって、送信モジュール３及び受信モジュール５が屋内の異なる階に設置されていても、受信モジュール５は送信モジュール３が送信する電波ＲＷを受信することができる。
【００３０】
また、通信システム１は、送信モジュール３と受信モジュール５との間をＵＨＦ帯の電波ＲＷで通信するため、例えば２．４ＧＨｚ帯の電波によって通信する場合と比べて低消費電力化を図ることができる。
【００３１】
（デモンストレーション装置の構成）
次に、本発明の一実施形態によるデモンストレーション装置について図２から図４を用いて説明する。図２は、本実施形態によるデモンストレーション装置２の概略構成を示すブロック図である。デモンストレーション装置２は、トリガ装置７ａにおいて行われた操作に関する情報をトリガ装置７ａから離れた場所に無線通信できることをデモンストレーションする装置である。
【００３２】
図２に示すように、本実施形態によるデモンストレーション装置２は、トリガ装置７ａと、通信システム１ａと、制御対象装置としての発光装置９ａとを有している。通信システム１ａの基本構成は、上記実施形態による通信システム１の構成と同様である。すなわち、デモンストレーション装置２は、上記実施形態による通信システム１の基本構成をそのまま利用して構成されている。
【００３３】
トリガ装置７ａは、磁界の変化を生じさせる回転可能な回転ツマミ（磁気エンコーダの一例）７１１ａと、回転方向を示す信号及び回転数を示す信号のうち少なくとも１つを生成するパルスエンコーダ（検出部の一例）７１３ａと、回転方向を示す信号及び回転数を示す信号のうち少なくとも１つをトリガ信号ＳＩＧとして出力する第１出力コネクタ７２ａとを有している。
【００３４】
回転ツマミ７１１ａは、回転することによって磁界の変化を生じさせ、パルスエンコーダ７１３ａは、この磁界の変化を電気信号に変換し、この電気信号をもとに回転方向を示す信号及び回転数を示す信号のうち少なくとも１つを生成するようになっている。なお、パルスエンコーダは、回転方向を示す信号及び回転数を示す信号の加えて、回転角度を示す信号や回転速度を示す信号を生成してもよい。
パルスエンコーダ７１３ａは、回転ツマミ７１１ａから入力する電気信号に基づいてトリガ信号ＳＩＧを生成し、第１出力コネクタ７２ａを介して送信モジュール３ａに出力するようになっている。パルスエンコーダ７１３ａは、回転ツマミ７１１ａからの電気信号に基づいて、例えば回転ツマミ７１１ａの回転開始、回転方向及び回転数に関する情報を含むトリガ信号ＳＩＧを生成する。
【００３５】
送信モジュール３ａの基本構成は、上記実施形態における送信モジュール３の構成と同様である。送信モジュール３ａは、トリガ信号ＳＩＧが入力する第１入力コネクタ３９ａと、入力データ生成部３１１ａを備えた送信制御回路３１ａと、データ変調部３３１を備えた送信回路３３と、ノイズフィルタ３５と、送信アンテナ３７とを有している。
【００３６】
第１入力コネクタ３９ａは、トリガ装置７ａに設けられた第１出力コネクタ７２ａと接続されている。第１入力コネクタ３９ａは、接続されるトリガ装置７ａの種類によらず形状やピン配置が固定され規格化されている。このため、デモンストレーション装置２は、トリガ装置７ａとは異なる構成のトリガ装置であっても、そのトリガ装置に設けられた第１出力コネクタが第１入力コネクタ３９ａの形状やピン配置に従って構成されていれば接続できるようになっている。
【００３７】
送信制御回路３１ａの基本構成は、上記実施形態における送信制御回路３１の構成と同様である。送信制御回路３１ａに備えられた入力データ生成部３１１ａは、トリガ装置７ａに設けられたパルスエンコーダ７１３ａが生成したトリガ信号ＳＩＧに基づいて入力データＤＡＴＡを生成できるように構成されている。入力データ生成部３１１ａは、トリガ信号ＳＩＧに含まれている回転ツマミ７１１ａの回転開始、回転角度、回転方向及び回転数に関する情報に基づく明るさ情報を含む入力データＤＡＴＡを生成する。明るさ情報は、発光装置９ａに備えられた発光ダイオード９３ａ（詳細は後述）の発光強度を決定するための情報である。
本実施形態では、パルスエンコーダ７１３ａが生成したトリガ信号ＳＩＧに基づいて入力データＤＡＴＡを生成できるように、デモンストレーション装置２の開発者が例えばパーソナルコンピュータなどによって入力データ生成部３１１ａの構成を容易に書き換えることができる。
【００３８】
送信回路３３は、上記実施形態における送信回路３３に対応し、データ変換部３３１は、上記実施形態におけるデータ変調部３３１に対応している。また、ノイズフィルタ３５は、上記実施形態におけるノイズフィルタ３５に対応し、送信アンテナ３７は、上記実施形態における送信アンテナ３７に対応している。
【００３９】
トリガ信号ＳＩＧはトリガ装置７ａの構成によって異なるものの、送信制御回路３１ａは、所定のフォーマットに基づいて入力データＤＡＴＡを生成している。このため、送信回路３３は、送信制御回路３１ａと異なり、データ変調部３３１の構成を変更せずに通信システム１に設けられている送信回路３３と同様の構成を有する。これにより、本実施形態における送信回路３３から出力されるＵＨＦ帯の電波ＲＷは、通信システム１の送信回路３３から出力される電波ＲＷと同様となる。ノイズフィルタ３５及び送信アンテナ３７は、上記実施形態における通信システム１に設けられたノイズフィルタ３５及び送信アンテナ３７と同様の構成を有する。
【００４０】
受信モジュール５ａの基本構成は、上記実施形態における受信モジュール５の構成と同様である。受信モジュール５ａは、電波ＲＷを受信する受信アンテナ５７と、電波ＲＷに重畳するノイズを除去するノイズフィルタ５５とを有している。また、受信モジュール５ａは、受信する電波ＲＷを復調データＤＭＤに復調するデータ復調部５３１を備えた受信回路５３と、復調データＤＭＤに基づく制御信号ＣＴＬを生成する制御信号生成部５１１ａを備えた受信制御回路５５ａと、制御信号ＣＴＬを出力する第２出力コネクタ５９ａとを有している。
【００４１】
送信モジュール３ａから送信される電波ＲＷは、上記実施形態における送信モジュール３から送信される電波ＲＷと同様であるため、送信アンテナ５７、ノイズフィルタ５５、受信回路５３及びデータ復調部５３１は、上記実施形態における送信アンテナ５７、ノイズフィルタ５５、受信回路５３及びデータ復調部５３１と同様の構成を有している。
【００４２】
受信制御回路５１ａの基本構成は、上記実施形態における受信制御回路５１の構成と同様である。受信制御回路５１ａに備えられた制御信号生成部５１１ａは、制御対象装置としての発光装置９ａの発光を制御する制御信号ＣＴＬを生成できるように構成されている。制御信号生成部５１１ａは、復調データＤＭＤに含まれている明るさ情報に基づいて、発光装置９ａに設けられた発光ダイオード９３ａ（詳細は後述）をパルス幅変調（ＰＷＭ：Ｐｕｌｓｅ  Ｗｉｄｔｈ  Ｍｏｄｕｌａｔｉｏｎ）駆動するためのＬＥＤ駆動用パルス幅を含む制御信号ＣＴＬを生成する。
本実施形態では、データ復調部５３１が生成した復調データＤＭＤに基づいて、発光装置９ａの発光を制御する制御信号ＣＴＬを生成できるように、デモンストレーション装置２の開発者が例えばパーソナルコンピュータなどによって、制御信号生成部５１１ａの構成を容易に書き換えることができる。
【００４３】
第２出力コネクタ５９ａは、発光装置９ａに設けられた第２入力コネクタ９５ａ（詳細は後述）と接続される。第２出力コネクタ５９ａは、接続される制御対象装置によらず形状やピン配置が固定され規格化されている。このため、デモンストレーション装置２は、発光装置９ａとは異なる構成の制御対象装置であっても、その制御対象装置に設けられた第２入力コネクタが第２出力コネクタ５９ａの形状やピン配置に従って構成されていれば接続できるようになっている。
【００４４】
発光装置９ａは、発光ダイオード（発光素子の一例）９３ａと、第２出力コネクタ５９ａに接続されて制御信号ＣＴＬが入力する第２入力コネクタ９５ａと、制御信号ＣＴＬに基づいて発光ダイオード９３ａを駆動する駆動信号を生成する発光ダイオード（ＬＥＤ）駆動回路（発光素子駆動回路の一例）９１ａとを有している。
【００４５】
ＬＥＤ駆動回路９１ａは、第２入力コネクタ９５ａを介して入力する制御信号ＣＴＬに含まれているＬＥＤ駆動用パルス幅に基づいて、発光ダイオード９３ａを駆動するＰＷＭ駆動信号を生成し、発光ダイオード９３ａを駆動する。これにより、発光ダイオード９３ａは、ＰＷＭ駆動によって発光する光の強度が制御される。このように、発光ダイオード９ａの光の強度は、トリガ装置７ａに設けられた回転ツマミ７１１ａの回転方向や回転数に応じて変化する。
【００４６】
（デモンストレーション装置の通信方法）
次に、デモンストレーション装置２の通信方法について図２を参照しつつ図３及び図４を用いて説明する。図３及び図４は、通信システム１ａを用いたデモンストレーション装置２の通信方法の流れの一例を示すフローチャートである。図３は、送信制御回路３１ａが実行する動作の流れを示し、図４は、受信制御回路５１ａが実行する動作の流れを示している。
【００４７】
デモンストレーション装置２に電源が投入されると、図３に示すように、ステップＳ１において送信制御回路３１ａは、自己の初期化を行い、ステップＳ３に移行する。送信制御回路３１ａは、例えば入出力ポートなどを初期化する。
【００４８】
ステップＳ３では、回転信号の検出を開始してステップＳ５に移行する。具体的にステップＳ３において送信制御回路３１ａは、第１入力コネクタ３９ａを介するトリガ信号ＳＩＧの入力を開始し、トリガ装置７ａの回転ツマミ７１１ａの回転操作に基づく回転信号の検出を開始する。
【００４９】
ステップＳ５では、５００ｍｓ経過したか否かを判定し、５００ｍｓ経過したと判定したらステップＳ７に移行する。また、ステップＳ５では、５００ｍｓ経過したと判定するまで同様の処理を繰り返し継続する。より具体的にステップＳ５において送信制御回路３１ａは、所定領域に設けられたタイマ（不図示）によって経過時間を計測し、５００ｍｓが経過するごとにステップＳ７に移行する。ステップＳ５において判定される経過時間は、５００ｍｓに限られず他の時間であってもよい。但し、この経過時間は、発光ダイオード９３ａのＰＷＭ駆動信号の変更タイミングとなるため、ＰＷＭ駆動信号の変更が人間の目にフリッカとして視認できない程度の時間に設定する必要がある。
【００５０】
ステップＳ７では、回転ツマミ７１１ａの回転操作に基づく回転パルスが発生しているか否かを判定し、回転パルスが発生していると判定したらステップＳ９に移行し、回転パルスが発生していないと判定したらステップＳ１５に移行する。より具体的にステップＳ７において送信制御回路３１ａは、トリガ信号ＳＩＧが入力したと判断したら回転パルスが発生したと判定し、トリガ信号ＳＩＧが入力していないと判断したら回転パルスが発生していないと判定する。
【００５１】
ステップＳ９では、回転ツマミ７１１ａの回転方向を検出してステップＳ１１に移行する。より具体的にステップＳ９では送信制御回路３１ａの入力データ生成部３１１ａは、入力したトリガ信号ＳＩＧに含まれている回転方向に関する情報を取得する。
【００５２】
一方、ステップＳ１５では、送信回路３３をスリープ状態に制御し、ステップＳ３に戻る。より具体的にステップＳ１５において送信制御回路３１ａは、回転ツマミ７１１ａの回転操作が行われていないため、受信モジュール５ａに電波ＲＷを送信する必要がないと判断し、送信回路３３をスリープ状態に移行する。これにより、デモンストレーション装置２の低消費電力化が図れる。
【００５３】
ステップＳ１１では、回転ツマミ７１１ａの回転信号及び回転方向に基づき明るさ情報を更新し、ステップＳ１３に移行する。より具体的にステップＳ１１において送信制御回路５１ａの入力データ生成部３１１ａは、入力したトリガ信号ＳＩＧに含まれている回転信号としての回転数に関する情報を取得する。次いで、入力データ生成部３１１ａは、取得した回転数に関する情報と、ステップＳ９において取得した回転方向に関する情報とに基づいて明るさ情報を算出する。次いで、入力データ生成部３１１ａは、所定の記憶領域に記憶されている明るさ情報に、算出した明るさ情報を上書きして明るさ情報を更新する。明るさ情報は、例えば０から２５５段階（すなわち８ビット）に分けられており、この０から２５５のうちのいずれか１つの数値が送信制御回路５１ａに設けられた所定の記憶領域に記憶される。
【００５４】
ステップＳ１３では、明るさ情報を送信回路３３に送信し、ステップＳ１５に移行する。より具体的に、ステップＳ１３において送信制御回路３１１ａは、送信回路３３に機動信号を送信した後に、入力データ生成部３１１ａが生成した明るさ情報と、送信モジュール３ａの識別情報とを含む入力データＤＡＴＡを送信回路３３に出力する。なお、トリガ装置７ａの識別情報がこの入力データＤＡＴＡに含まれていてもよい。また、送信制御回路３１１ａは、入力データＤＡＴＡに続いて送信回路３３をスリープ状態に移行するためのスリープ信号を送信回路３３に出力する。
【００５５】
送信回路３３は、機動信号が入力することによりスリープ状態から動作状態に移行し、入力する入力データＤＡＴＡをＵＨＦ帯の電波ＲＷに変調してノイズフィルタ５５に出力する。また、送信回路３３は、入力するスリープ信号によって電波ＲＷを出力した後にスリープ状態に移行する。
【００５６】
また、デモンストレーション装置２に電源が投入されると、図４に示すように、ステップＳ１０１において受信制御回路５１ａは、自己の初期化を行い、ステップＳ１０３に移行する。受信制御回路５１ａは、例えば入出力ポートなどを初期化する。
【００５７】
ステップＳ１０３では、受信回路５３を初期化して、ステップＳ１０５に移行する。より具体的にステップＳ１０５では受信制御回路５１ａは、受信回路５３に所定の信号を出力して受信回路５３の入出力ポートなどを初期化する。
【００５８】
ステップＳ１０５では、ＬＥＤ駆動用パルス幅を初期化し、ステップＳ１０７に移行する。より具体的にステップＳ１０５において受信制御回路５１ａは、所定の記憶領域に記憶されたＬＥＤ駆動用パルス幅を初期化、すなわち「０」に設定する。これにより、デモンストレーション装置２への電源投入時の発光ダイオード９３ａは点灯していない状態となる。
【００５９】
ステップＳ１０７では、受信回路５３に割込み信号が発生したか否かを判定し、割込み信号が発生したと判定したらステップＳ１０９に移行する。また、ステップＳ１０７では、受信回路５３に割込み信号が発生したと判定するまで同様の処理を繰り返し継続する。より具体的に、ステップＳ１０７において受信制御回路５１ａは、受信回路５３が電波を受信した際に発生する割込み信号を受信回路５３から受信すると、受信回路５３に割込み信号が発生したと判定する。
【００６０】
ステップＳ１０９では、受信回路５３の受信部から明るさ情報を読み出し、ステップＳ１１１に移行する。より具体的にステップＳ１０９において受信制御回路５１ａは、受信回路５３の受信部（図２において不図示、例えば受信バッファ）に保存された復調データＤＭＤを取得し、この復調データＤＭＤに含まれる送信モジュール３の識別情報が予め設定された識別情報と一致する場合には、この復調データＤＭＤを制御信号生成部５１１ａに送信する。制御信号生成部５１１ａは、送信された復調データＤＭＤから明るさ情報を取得する。
【００６１】
ステップＳ１１１では、取得した明るさ情報に基づいて、ＬＥＤ駆動用パルス幅を更新し、ステップＳ１０７に戻る。より具体的にステップＳ１１１において受信制御回路５１ａの制御信号生成部５１１ａは、受信制御回路５１ａに設けられた所定の記憶領域に記憶されているＬＥＤ駆動用パルス幅に、復調データＤＭＤに含まれる明るさ情報に基づくＬＥＤ駆動用パルス幅を上書きしてＬＥＤ駆動用パルス幅を更新する。次いで、受信制御回路５１ａは、制御信号生成部５１１ａにおいて生成された、更新したＬＥＤ駆動用パルス幅を含む制御信号ＣＴＬを発光装置９ａに出力する。
【００６２】
発光装置９ａは、受信モジュール５ａからの制御信号ＣＴＬに含まれたＬＥＤ駆動用パルス幅に基づいて発光ダイオード９３ａを駆動する。これにより、発光ダイオード９３ａはトリガ装置７ａに設けられた回転ツマミ７１１ａの回転操作に応じて発光輝度が変化する。デモンストレーション装置２の使用者らは、発光ダイオード９３ａの発光輝度の変化により、通信システム１ａを用いたデモンストレーション装置２において、回転ツマミ７１１ａの回転操作に基づく信号の送受信が確実に行われていることを確認できる。
【００６３】
以上説明したように、本実施形態によるデモンストレーション装置２は、上記実施形態による通信システム１と基本構成が同様の通信システム１ａを有している。これにより、デモンストレーション装置２は、上記実施形態による通信システム１と同様の効果が得られる。
【００６４】
デモンストレーション装置２は、送信モジュール３ａに設けられた第１入力コネクタ３９ａ及び受信モジュール５ａに設けられた第２出力コネクタ５９ａをそれぞれ規格化している。このため、デモンストレーション装置２は、通信システム１ａの接続拡張性を有している。これにより、デモンストレーション装置２は、第１入力コネクタ３９ａの規格に合う第１出力コネクタを備えたトリガ装置と及び第２出力コネクタ５９ａの規格に合う第２入力コネクタを備えた制御対象装置であれば、トリガ装置７ａ及び発光装置９ａ以外の装置を自由に選んで接続させることができる。
【００６５】
デモンストレーション装置２は、送信モジュール３ａ及び受信モジュール５ａ同士の通信は同調されて最適化されている。このため、通信システム１ａにトリガ装置及び制御対象装置を適用する際に、送信モジュール３ａの送信電力や受信モジュール５ａの受信感度の調整が不要である。このため、本実施形態によれば、デモンストレーション装置の開発期間の短縮化を図ることができる。
【００６６】
送信アンテナ３７及び受信アンテナ５７は、パターンアンテナとして送信モジュール３ａ及び受信モジュール５ａにそれぞれ作りこまれているので、デモンストレーション装置２は、送信アンテナ及び受信アンテナを外付けする必要がない。
【００６７】
送信制御回路３１ａの入力データ生成部３１１ａ及び受信制御回路５１ａの制御信号生成部５１１ａの構成は、容易に変更できるので、デモンストレーション装置の使用者（開発者）が独自のプロトコルに容易にカスタマイズすることができる。
【００６８】
デモンストレーション装置２は、トリガ装置７ａに回転ツマミ７１１ａを有し、回転ツマミ７１１ａの回転数に基づいて明るさ情報を２５６段階で変更できる。これにより、デモンストレーション装置２は、回転ツマミ７１１ａの回転数の変化に応じた発光ダイオード９３ａの明暗速度の微調整が可能になる。
【００６９】
また、デモンストレーション装置２は、回転ツマミ７１１ａの回転方向に基づいて明るさ情報を２５６段階で変更できる。また、デモンストレーション装置２は、回転ツマミ７１１ａの回転数や回転方向の連続的な変化に基づく発光ダイオード９３ａの微調整が可能である。また、デモンストレーション装置２は、トリガ装置にＭＰＵを設け、このＭＰＵによって回転ツマミ７１１ａの回転数や回転方向に対して所定の演算を加えることにより、調光方法を自由に制御できる。さらに回転ツマミ７１１ａの回転数や回転方向に加え、回転角度や回転速度に対して所定の演算を加えることにより、調光方法を制御してもよい。
【００７０】
（照明装置の構成）
次に、本発明の一実施形態による照明装置について図５を用いて説明する。図５は、本実施形態による照明装置４の概略構成を示すブロック図である。
図５に示すように、本実施形態による照明装置４は、リモートコントロール装置１２と、リモートコントロール装置１２の操作に基づいて点灯や消灯などが制御される光源９３ｂを備えた照明器具本体１４とを有している。リモートコントロール装置１２は、上記実施形態による通信システム１の送信モジュール３に対応する送信モジュール３ｂを備え、ＵＨＦ帯の電波ＲＷを送信するように構成されている。また、照明器具本体１４は、上記実施形態による通信システム１の受信モジュール５に対応する受信モジュール５ｂを有している。このため、照明装置４は、上記実施形態による通信システム１に対応する通信システム１ｂを有している。
【００７１】
リモートコントロール装置１２は、入力回路（トリガ装置の一例）７ｂと、送信モジュール３ｂとを有している。
入力回路７ｂは、入力ボタン群７１ｂと、入力ボタン群７１ｂの操作に基づく操作信号をトリガ信号ＳＩＧとして検出する検出部（不図示）と、トリガ信号ＳＩＧを送信モジュール３ｂに出力する第１出力コネクタ７２ｂとを有している。入力ボタン群７１ｂは、点灯用ボタン、消灯用ボタン及び調光用ボタンなど複数のボタンを有している。入力回路７ｂに設けられた検出部は、入力ボタン群７１ｂに設けられた各種ボタンのうちの操作されたボタンの情報（点灯、消灯あるいは調光など）を含むトリガ信号ＳＩＧを生成する。この検出部は、送信モジュール３ｂに設けられた送信制御回路３１ｂ（詳細は後述する）が受信可能なトリガ信号ＳＩＧを生成するようになっている。入力回路７ｂは、検出部で生成したトリガ信号ＳＩＧを第１出力コネクタ７２ｂを介して送信モジュール３ｂに出力する。
【００７２】
送信モジュール３ｂの基本構成は、上記実施形態における送信モジュール３の構成と同様である。送信モジュール３ｂは、トリガ信号ＳＩＧが入力する第１入力コネクタ３９ｂと、入力データ生成部３１１ｂを備えた送信制御回路３１ｂと、データ変調部３３１を備えた送信回路３３と、ノイズフィルタ３５と、送信アンテナ３７とを有している。
【００７３】
第１入力コネクタ３９ｂは、入力回路７ｂに設けられた第１出力コネクタ７２ｂと接続されている。第１入力コネクタ３９ｂは、接続される入力回路７ｂに設けられた入力ボタン群７１ｂの構成によらず形状やピン配置が固定、すなわち規格化されている。このため、リモートコントロール装置１２は、入力回路７ｂとは異なる構成の入力回路であっても、その入力回路に設けられた第１出力コネクタが第１入力コネクタ３９ｂの形状やピン配置に従って構成されていれば接続できるようになっている。
【００７４】
送信制御回路３１ｂの基本構成は、上記実施形態における送信制御回路３１の構成と同様である。送信制御回路３１ｂに備えられた入力データ生成部３１１ｂは、入力回路７ｂが生成したトリガ信号ＳＩＧに基づいて入力データＤＡＴＡを生成できるように構成されている。入力データ生成部３１１ｂは、トリガ信号ＳＩＧに含まれている入力ボタン群７１ｂにおいて操作されたボタンに関する情報を含む入力データＤＡＴＡを生成する。
本実施形態では、入力回路７ｂが生成したトリガ信号ＳＩＧに基づいて入力データＤＡＴＡを生成できるように、照明装置４の開発者が例えばパーソナルコンピュータなどによって入力データ生成部３１１ｂの構成を容易に書き換えることができる。
【００７５】
送信回路３３は、上記実施形態における送信回路３３に対応し、データ変換部３３１は、上記実施形態におけるデータ変調部３３１に対応している。また、ノイズフィルタ３５は、上記実施形態におけるノイズフィルタ３５に対応し、送信アンテナ３７は、上記実施形態における送信アンテナ３７に対応している。
【００７６】
トリガ装置の構成が入力回路７ｂであるためにトリガ信号ＳＩＧは異なるものの、送信制御回路３１ｂは、所定のフォーマットに基づいて入力データＤＡＴＡを生成している。このため、送信回路３３は、送信制御回路３１ｂと異なり、データ変調部３３１の構成を変更せずに通信システム１に設けられている送信回路３３と同様の構成を有する。これにより、本実施形態における送信回路３３から出力されるＵＨＦ帯の電波ＲＷは、通信システム１の送信回路３３から出力される電波ＲＷと同様となる。このため、ノイズフィルタ３５及び送信アンテナ３７は、上記実施形態における通信システム１に設けられたノイズフィルタ３５及び送信アンテナ３７と同様の構成を有する。
【００７７】
照明器具本体１４は、リモートコントロール装置１２が送信する電波ＲＷを受信する受信モジュール５ｂと、受信モジュール５ｂが出力する制御信号ＣＴＬに基づいて制御される発光装置（制御対象装置の一例）９ｂとを有している。
【００７８】
受信モジュール５ｂの基本構成は、上記実施形態における受信モジュール５の構成と同様である。受信モジュール５ｂは、電波ＲＷを受信する受信アンテナ５７と、電波ＲＷに重畳するノイズを除去するノイズフィルタ５５とを有している。また、受信モジュール５ｂは、受信する電波ＲＷを復調データＤＭＤに復調するデータ復調部５３１を備えた受信回路５３と、復調データＤＭＤに基づく制御信号ＣＴＬを生成する制御信号生成部５１１ｂを備えた受信制御回路５１ｂと、制御信号ＣＴＬを出力する第２出力コネクタ５９ｂとを有している。
【００７９】
送信モジュール３ｂから送信される電波ＲＷは、上記実施形態における送信モジュール３から送信される電波ＲＷと同様であるため、送信アンテナ５７、ノイズフィルタ５５、受信回路５３及びデータ復調部５３１は、上記実施形態における送信アンテナ５７、ノイズフィルタ５５、受信回路５３及びデータ復調部５３１と同様の構成を有している。
【００８０】
受信制御回路５１ｂの基本構成は、上記実施形態における受信制御回路５１の構成と同様である。受信制御回路５１ｂに備えられた制御信号生成部５１１ｂは、制御対象装置としての発光装置９ｂの発光を制御する制御信号ＣＴＬを生成できるように構成されている。制御信号生成部５１１ｂは、復調データＤＭＤに含まれている操作されたボタンに関する情報に基づいて、発光装置９ｂに設けられた光源９３ｂ（詳細は後述）を駆動する駆動信号を含む制御信号ＣＴＬを生成する。
本実施形態では、データ復調部５３１が生成した復調データＤＭＤに基づいて、発光装置９ｂの発光を制御する制御信号ＣＴＬを生成できるように、照明装置４の開発者が例えばパーソナルコンピュータなどによって制御信号生成部５１１ｂの構成を容易に書き換えることができる。
【００８１】
第２出力コネクタ５９ｂは、発光装置９ｂに設けられた第２入力コネクタ９５ｂ（詳細は後述）と接続される。第２出力コネクタ５９ｂは、接続される発光装置によらず形状やピン配置が固定、すなわち規格化されている。このため、照明装置４は、発光装置９ｂとは異なる構成の発光装置であっても、その発光装置に設けられた第２入力コネクタが第２出力コネクタ５９ｂの形状やピン配置に従って構成されていれば接続できるようになっている。
【００８２】
発光装置９ｂは、光源９３ｂと、第２出力コネクタ５９ｂに接続されて制御信号ＣＴＬが入力する第２入力コネクタ９５ｂと、制御信号ＣＴＬに基づいて光源９３ｂを駆動する駆動信号を生成する光源駆動回路（発光素子駆動回路の一例）９１ｂとを有している。
【００８３】
光源駆動回路９１ｂは、第２入力コネクタ９５ｂを介して入力する制御信号ＣＴＬに含まれている操作されたボタンに関する情報に基づいて、光源９３ｂを駆動する駆動信号を生成し、光源９３ｂを駆動する。これにより、光源９３ｂは、操作されたボタンに関する情報に応じて動作する。例えば、照明装置４の使用者が点灯ボタンを操作した場合には、光源９３ｂは点灯し、照明装置４の使用者が消灯ボタンを操作した場合には、光源９３ｂは消灯する。また、照明装置４の使用者が調光ボタンを操作した場合には、光源９３ｂの輝度は、調光ボタンの操作に応じて高くなったり低くなったりする。
【００８４】
（照明装置の通信方法）
本実施形態による照明装置４の通信方法は、トリガ装置がリモートコントロール装置１２に設けられた入力回路７ｂであり、制御対象装置が照明器具本体１４に設けられた発光装置９ｂであり、トリガ信号ＳＩＧに含まれる情報が操作されたボタンの情報である点を除き、上記実施形態によるデモンストレーション装置２の通信方法と同様であるため、説明は省略する。
【００８５】
以上説明したように、本実施形態による照明装置４は、上記実施形態による通信システム１と基本構成が同様の通信システム１ｂを有している。これにより、照明装置４は、上記実施形態による通信システム１と同様の効果が得られる。
【００８６】
照明装置４は、送信モジュール３ｂ及び受信モジュール５ｂ同士の通信は同調されて最適化されている。このため、通信システム１ｂに入力回路７ｂ及び制御対象装置９ｂを適用する際に、送信モジュール３ｂの送信電力や受信モジュール５ｂの受信感度の調整が不要である。このため、本実施形態によれば、照明装置の開発期間の短縮化を図ることができる。
【００８７】
（通報システムの構成）
次に、本発明の一実施形態による通信システム１を用いた通報システムについて図６を用いて説明する。図６は、本実施形態における通報システム６の概略構成を示すブロック図である。
図６に示すように、本実施形態における通報システム６は、トリガ装置７ｃと、通信システム１ｃと、通報システム９１ｃを備えた制御対象装置９ｃとを有している。通信システム１ｃの基本構成は、上記実施形態による通信システム１の構成と同様である。すなわち、通報システム６は、上記実施形態による通信システム１の基本構成をそのまま利用して構成されている。
【００８８】
トリガ装置７ｃは、押しボタン７１ｃと、押しボタン７１ｃの操作に基づく操作信号をトリガ信号ＳＩＧとして検出する検出部（不図示）と、トリガ信号ＳＩＧを送信モジュール３ｃに出力する第１出力コネクタ７２ｃとを有している。この検出部は、押しボタン７１ｃが押されたことを検知すると、送信モジュール３ｃに設けられた送信制御回路３１ｃ（詳細は後述する）が受信可能なトリガ信号ＳＩＧを生成するようになっている。トリガ装置７ｃは、検出部で生成したトリガ信号ＳＩＧを第１出力コネクタ７２ｃを介して送信モジュール３ｃに出力する。
【００８９】
送信モジュール３ｃの基本構成は、上記実施形態における送信モジュール３の構成と同様である。送信モジュール３ｃは、トリガ信号ＳＩＧが入力する第１入力コネクタ３９ｃと、入力データ生成部３１１ｃを備えた送信制御回路３１ｃと、データ変調部３３１を備えた送信回路３３と、ノイズフィルタ３５と、送信アンテナ３７とを有している。
【００９０】
第１入力コネクタ３９ｃは、トリガ装置７ｃに設けられた第１出力コネクタ７２ｃと接続されている。第１入力コネクタ３９ｃは、接続されるトリガ装置７ｃに設けられた押しボタン７１ｃの構成によらず形状やピン配置が固定され規格化されている。このため、トリガ装置７ｃは、例えば押しボタン７１ｃとは異なる構成の入力部品を備えていても、そのトリガ装置に設けられた第１出力コネクタが第１入力コネクタ３９ｃの形状やピン配置に従って構成されていれば接続できるようになっている。
【００９１】
送信制御回路３１ｃの基本構成は、上記実施形態における送信制御回路３１の構成と同様である。送信制御回路３１ｃに備えられた入力データ生成部３１１ｃは、トリガ装置７ｃが生成したトリガ信号ＳＩＧに基づいて入力データＤＡＴＡを生成できるように構成されている。入力データ生成部３１１ｃは、トリガ信号ＳＩＧに含まれている押しボタン７１ｃの操作に関する情報を含む入力データＤＡＴＡを生成する。
本実施形態における通報システム６では、トリガ装置７ｃが生成したトリガ信号ＳＩＧに基づいて入力データＤＡＴＡを生成できるように、通報システム６の開発者が例えばパーソナルコンピュータなどによって入力データ生成部３１１ｃの構成を容易に書き換えることができる。
【００９２】
送信回路３３は、上記実施形態における送信回路３３に対応し、データ変換部３３１は、上記実施形態におけるデータ変調部３３１に対応している。また、ノイズフィルタ３５は、上記実施形態におけるノイズフィルタ３５に対応し、送信アンテナ３７は、上記実施形態における送信アンテナ３７に対応している。
【００９３】
送信制御回路３１ｃは、どのようなトリガ信号ＳＩＧであっても所定のフォーマットに基づいて入力データＤＡＴＡを生成している。このため、送信回路３３は、送信制御回路３１ｃと異なり、データ変調部３３１の構成を変更せずに通信システム１に設けられている送信回路３３と同様の構成を有する。これにより、本実施形態における送信回路３３から出力されるＵＨＦ帯の電波ＲＷは、通信システム１の送信回路３３から出力される電波ＲＷと同様となる。これのため、ノイズフィルタ３５及び送信アンテナ３７は、上記実施形態における通信システム１に設けられたノイズフィルタ３５及び送信アンテナ３７と同様の構成を有する。
【００９４】
受信モジュール５ｃの基本構成は、上記実施形態における受信モジュール５の構成と同様である。受信モジュール５ｃは、電波ＲＷを受信する受信アンテナ５７と、電波ＲＷに重畳するノイズを除去するノイズフィルタ５５とを有している。また、受信モジュール５ｃは、受信する電波ＲＷを復調データＤＭＤに復調するデータ復調部５３１を備えた受信回路５３と、復調データＤＭＤに基づく制御信号ＣＴＬを生成する制御信号生成部５１１ｃを備えた受信制御回路５１ｃと、制御信号ＣＴＬを出力する第２出力コネクタ５９ｃとを有している。
【００９５】
送信モジュール３ｃから送信される電波ＲＷは、上記実施形態における送信モジュール３から送信される電波ＲＷと同様であるため、送信アンテナ５７、ノイズフィルタ５５、受信回路５３及びデータ復調部５３１は、上記実施形態における送信アンテナ５７、ノイズフィルタ５５、受信回路５３及びデータ復調部５３１と同様の構成を有している。
【００９６】
受信制御回路５１ｃの基本構成は、上記実施形態における受信制御回路５１の構成と同様である。受信制御回路５１ｃに備えられた制御信号生成部５１１ｃは、制御対象装置９ｃの通報装置９１ｃ（詳細は後述）を制御する制御信号ＣＴＬを生成できるように構成されている。制御信号生成部５１１ｃは、復調データＤＭＤに含まれているボタン操作に関する情報に基づいて、通報装置９１ｃを駆動する駆動信号を含む制御信号ＣＴＬを生成する。
本実施形態における通報システム６では、データ復調部５３１が生成した復調データＤＭＤに基づいて、通報装置９１ｃを制御する制御信号ＣＴＬを生成できるように、通報システム６の開発者が例えばパーソナルコンピュータなどによって制御信号生成部５１１ｃの構成を容易に書き換えることができる。
【００９７】
第２出力コネクタ５９ｃは、制御対象装置９ｃに設けられた第２入力コネクタ９５ｃ（詳細は後述）と接続される。第２出力コネクタ５９ｃは、接続される制御対象装置９ｃによらず形状やピン配置が固定され規格化されている。このため、受信モジュール５ｃは、制御対象装置９ｃとは異なる構成の制御対象装置であっても、その制御対象装置に設けられた第２入力コネクタが第２出力コネクタ５９ｃの形状やピン配置に従って構成されていれば接続できるようになっている。
【００９８】
制御対象装置９ｃは、第２出力コネクタ５９ｃに接続されて制御信号ＣＴＬが入力する第２入力コネクタ９５ｃと、制御信号ＣＴＬに基づいて制御される通報装置９１ｃとを有している。
【００９９】
通報装置９１ｃは、例えば音や光など人間の知覚によって認識可能な手段によってトリガ装置７ｃの押しボタン７１ｃの操作を通報できる構成を有している。通報装置９１ｃは、第２入力コネクタ９５ｃを介して入力する制御信号ＣＴＬに基づいて音や光などを発生する。これにより、制御対象装置９ｃは、トリガ装置７ｃの押しボタン７１ｃの操作を通報できる。
【０１００】
（通報システムの通信方法）
本実施形態による通報システム６の通信方法は、トリガ装置が押しボタン７１ｃを備えたトリガ装置７ｃであり、制御対象装置が通報装置９１ｃを備えた制御対象装置９ｃであり、トリガ信号ＳＩＧに含まれる情報がボタン操作の情報である点を除き、上記実施形態によるデモンストレーション装置２の通信方法と同様であるため、説明は省略する。
【０１０１】
以上説明したように、本実施形態における通報システム６は、上記実施形態による通信システム１と基本構成が同様の通信システム１ｃを有している。これにより、通報システム６は、上記実施形態による通信システム１と同様の効果が得られる。
【０１０２】
通報システム６は、デモンストレーション装置及び実製品として作製できる。例えば、  通報システム６は、実製品として製造する前にデモンストレーション装置として作製すると、そのデモンストレーション装置において通報システム６が問題なく動作することを検証できる。その後、そのデモンストレーション装置と同様の構成を変更することなく、トリガ装置７ｃ及び送信モジュール３ｃを家屋の中の通報が必要な場所（例えば風呂場や被介護者が起居する部屋）に設置し、受信モジュール５ｃ及び制御対象装置９ｃを例えば居間に設置することにより、通報システム６を実製品として容易に展開できる。このように、本実施形態によれば、通報システムの開発期間の短縮化を図ることができる。
【０１０３】
（発光システムの他の構成）
次に、本発明の一実施形態による通信システム１を用いた発光システムの構成について図７及び図８を用いて説明する。図７及び図８は、本実施形態における発光システム８の概略構成を示すブロック図である。図７は、発光システム８の送信側の概略構成を示し、図８は、発光システム８の受信側の概略構成を示している。
図７及び図８に示すように、本実施形態における発光システム８は、トリガ装置７ｄと、通信システム１ｄと、第１ＬＥＤ９３１ｄから第３ＬＥＤ９３５ｄを有する通報システム９３ｄを備えた制御対象装置９ｄとを有している。通信システム１ｄの基本構成は、上記実施形態による通信システム１の構成と同様である。すなわち、発光システム８は、上記実施形態による通信システム１の基本構成をそのまま利用して構成されている。
【０１０４】
図７に示すように、トリガ装置７ｄは、トリガ装置７ｄ及び送信モジュール３ｄの電源電圧を生成する電源回路７９ｄと、複数種類の入力信号を受信可能な入力部７１ｄと、入力部７１ｄで検出された検出信号に基づくトリガ信号が入力する制御回路７７ｄとを有している。また、トリガ装置７ｄは、制御回路７７ｄに入力するトリガ信号を選択するための選択回路７３ｄと、制御回路７７ｄが出力するトリガ信号ＳＩＧなどを出力する第１出力コネクタ７２ｄと、発光システム８の動作状態を表示する表示部７５ｄとを有している。
【０１０５】
入力部７１ｄは、回転ツマミ（不図示）と、パルスエンコーダ７１３ｄと、照度センサ７１５ｄと、スイッチ７１１ｄとを有している。不図示の回転ツマミ及びパルスエンコーダ７１３ｄは、上記実施形態によるデモンストレーション装置２に備えられた回転ツマミ７１１ａ及びパルスエンコーダ７１３ａと同様の構成を有して同様の機能を発揮するようになっている。また、パルスエンコーダ７１３ｄは、生成したトリガ信号を制御回路７７ｄに出力するようになっている。
【０１０６】
照度センサ７１５ｄは、トリガ装置７ｄが設置された空間の照度を検出し、検出した照度の情報を含むトリガ信号を制御回路７７ｄに出力するようになっている。
スイッチ７１１ｄは、発光システム８の使用者が操作可能なスイッチである。スイッチ７１１ｄは、使用者の操作に基づいて、スイッチ７１１ｄが操作されたことを示す操作情報を含むトリガ信号を制御回路７７ｄ（詳細は後述）に出力するようになっている。
【０１０７】
選択回路７３ｄは、パルスエンコーダ７１３ｄが生成したトリガ信号と、照度センサ７１５ｄが生成したトリガ信号と、スイッチ７１１ｄが生成したトリガ信号とのいずれをトリガ信号ＳＩＧとして送信モジュール３ｄに出力するのかを決定するための回路である。選択回路７３ｄは、制御回路７７ｄに接続されており、発光システム８の使用者の操作に基づいて、選択すべきトリガ信号の情報を含む選択信号を制御回路７７ｄに出力するようになっている。
【０１０８】
表示部７５ｄは、制御回路７７ｄに接続されたＬＥＤ７５１ｄ及び液晶表示装置（ＬＣＤ）７５３ｄを有している。表示部７５ｄは、発光システム８の動作状態を表示するようになっている。ＬＥＤ７５１ｄは、例えば発光システム８が正常状態では点灯し異常状態では点滅するように構成されている。ＬＥＤ７５１ｄは、制御回路７７ｄから入力する制御信号に基づいて点灯したり点滅したりするようになっている。ＬＣＤ７５３ｄは、送信モジュール３ｄから受信モジュール５ｄ（図８参照）に対して電波ＲＷを送信中であることを表示したり、どのような異常が生じているのかを具体的に表示したりするように構成されている。ＬＣＤ７５３ｄは、制御回路７７ｄから入力する制御信号に基づいて所定の情報を表示するようになっている。
【０１０９】
制御回路７７ｄは、例えば超小型演算装置（Ｍｉｃｒｏ−Ｐｒｏｃｅｓｓｉｎｇ  Ｕｎｉｔ：ＭＰＵ）で構成されている。制御回路７７ｄは、入力部７１ｄから入力するトリガ信号にそのトリガ信号の種類の情報を付加してトリガ信号ＳＩＧを生成する。トリガ信号の種類の情報は、パルスエンコーダ７１３ｄ、照度センサ７１５ｄ及びスイッチ７１１ｄのいずれから入力した信号であるのかを示す情報である。また、制御回路７７ｄは、選択回路７３ｄから入力する選択信号に基づいて生成したトリガ信号ＳＩＧを第１出力コネクタ７２ｄに出力する。
【０１１０】
このように、トリガ装置７ｄは、複数種類のトリガ信号ＳＩＧを送信モジュール３ｄに出力できるように構成されているが、トリガ信号ＳＩＧを１つずつ出力するようになっている。すなわち、トリガ装置７ｄは、２つ以上のトリガ信号ＳＩＧを同時に出力しないように構成されている。これにより、出力できるトリガ信号ＳＩＧの種類が複数になっても、第１出力コネクタ７２ｄは、上記実施形態によるデモンストレーション装置２に備えられた第１出力コネクタ７２ａと同一の構成を有することができる。
【０１１１】
電源回路７９ｄは、トリガ装置７及び送信モジュール３ｄを駆動するための電源電圧ＶＤＤ１を生成するように構成されている。電源回路７９ｄは、例えば電池などの電源（不図示）に接続されており、その電源からトリガ装置７及び送信モジュール３ｄを駆動するために必要な電圧値の電源電圧ＶＤＤ１を生成するようになっている。電源回路７９ｄは、生成した電源電圧ＶＤＤ１を第１出力コネクタ７２ｄを介して送信モジュール３ｄに出力する。
【０１１２】
第１出力コネクタ７２ｄは、上記実施形態による上記実施形態によるデモンストレーション装置２に備えられた第１出力コネクタ７２ａと同一の構成を有している。第１出力コネクタ７２ｄでは、第１出力コネクタ７２ａの未使用ピン（端子）に対応するピン（端子）を利用して電源電圧ＶＤＤ１を送信モジュール３ｄに出力するようになっている。また、第１出力コネクタ７２ｄは、他の未使用ピン（端子）に対応するピン（端子）を利用して、動作状態を示す情報を送信モジュール３ｄからトリガ装置３ｄに送信できるようになっている。
【０１１３】
送信モジュール３ｄの基本構成は、上記実施形態における送信モジュール３の構成と同様である。送信モジュール３ｄは、トリガ信号ＳＩＧが入力する第１入力コネクタ３９ｄと、入力データ生成部３１１ｄを備えた送信制御回路３１ｄと、データ変調部３３１を備えた送信回路３３と、ノイズフィルタ３５と、送信アンテナ３７とを有している。
【０１１４】
第１入力コネクタ３９ｄは、トリガ装置７ｄに設けられた第１出力コネクタ７２ｄと接続されている。第１入力コネクタ３９ｄは、接続されるトリガ装置７ｄの種類によらず形状やピン配置が固定され規格化されている。このため、発光システム８は、トリガ装置７ｄとは異なる構成のトリガ装置であっても、そのトリガ装置に設けられた第１出力コネクタが第１入力コネクタ３９ｄの形状やピン配置に従って構成されていれば接続できるようになっている。第１入力コネクタ３９ｄは、電源電圧ＶＤＤ１が入力するピン（端子）と、動作状態を示す情報が出力するピン（端子）とを有している。これらのピン（端子）は、第１入力コネクタ３９ａの未使用ピン（端子）に対応している。
【０１１５】
送信制御回路３１ｄの基本構成は、上記実施形態における送信制御回路３１の構成と同様である。送信制御回路３１ｄに備えられた入力データ生成部３１１ｄは、トリガ装置７ｄから入力するトリガ信号ＳＩＧに基づいて入力データＤＡＴＡを生成できるように構成されている。入力データ生成部３１１ｄは、トリガ信号ＳＩＧに含まれているトリガ信号の種類の情報も入力データＤＡＴＡに含める。トリガ信号ＳＩＧのフォーマットは、送信モジュール３ｄに入力するトリガ信号ＳＩＧに含まれる情報がパルスエンコーダ７１３ｄ、照度センサ７１５ｄ及びスイッチ７１１ｄのいずれで検出された情報であっても変わらない。このため、入力データ生成部３１１ｄは、トリガ信号ＳＩＧに含まれている情報が入力部７１ｄで検出されたいずれの情報であっても入力データＤＡＴＡを生成できる。
本実施形態では、送信モジュール３ｄに入力するトリガ信号ＳＩＧに基づいて入力データＤＡＴＡを生成できるように、発光システム８の開発者が例えばパーソナルコンピュータなどによって入力データ生成部３１１ｄの構成を容易に書き換えることができる。
【０１１６】
送信回路３３は、上記実施形態における送信回路３３に対応し、データ変換部３３１は、上記実施形態におけるデータ変調部３３１に対応している。また、ノイズフィルタ３５は、上記実施形態におけるノイズフィルタ３５に対応し、送信アンテナ３７は、上記実施形態における送信アンテナ３７に対応している。
【０１１７】
トリガ信号ＳＩＧはトリガ信号の種類の情報などによって異なるものの、送信制御回路３１ｄは、所定のフォーマットに基づいて入力データＤＡＴＡを生成している。このため、送信回路３３は、送信制御回路３１ｄと異なり、データ変調部３３１の構成を変更せずに通信システム１に設けられている送信回路３３と同様の構成を有する。これにより、本実施形態における送信回路３３から出力されるＵＨＦ帯の電波ＲＷは、通信システム１の送信回路３３から出力される電波ＲＷと同様であるため、ノイズフィルタ３５及び送信アンテナ３７は、上記実施形態における通信システム１に設けられたノイズフィルタ３５及び送信アンテナ３７と同様の構成を有する。
【０１１８】
図８に示すように、受信モジュール５ｄの基本構成は、上記実施形態における受信モジュール５の構成と同様である。受信モジュール５ｄは、電波ＲＷを受信する受信アンテナ５７と、電波ＲＷに重畳するノイズを除去するノイズフィルタ５５とを有している。また、受信モジュール５ｄは、受信する電波ＲＷを復調データＤＭＤに復調するデータ復調部５３１を備えた受信回路５３と、復調データＤＭＤに基づく制御信号ＣＴＬを生成する制御信号生成部５１１ｄを備えた受信制御回路５１ｄと、制御信号ＣＴＬを出力する第２出力コネクタ５９ｄとを有している。
【０１１９】
送信モジュール３ｄから送信される電波ＲＷは、上記実施形態における送信モジュール３から送信される電波ＲＷと同様であるため、送信アンテナ５７、ノイズフィルタ５５、受信回路５３及びデータ復調部５３１は、上記実施形態における送信アンテナ５７、ノイズフィルタ５５、受信回路５３及びデータ復調部５３１と同様の構成を有している。
【０１２０】
受信制御回路５１ｄの基本構成は、上記実施形態における受信制御回路５１の構成と同様である。受信制御回路５１ｄに備えられた制御信号生成部５１１ｄは、制御対象装置９ｄを制御する制御信号ＣＴＬを生成できるように構成されている。制御信号生成部５１１ｄは、復調データＤＭＤに含まれている明るさ情報及びトリガ信号の種類の情報に基づいて、通報装置９３ｄに設けられた第１から第３ＬＥＤ９３１ｄ、９３３ｄ、９３５ｄのいずれを点灯させるかの制御信号ＣＴＬを生成する。
本実施形態では、データ復調部５３１が生成した復調データＤＭＤに基づいて、制御対象装置９ｄを制御する制御信号ＣＴＬを生成できるように、発光システム８の開発者が例えばパーソナルコンピュータなどによって、制御信号生成部５１１ｄの構成を容易に書き換えることができる。
【０１２１】
第２出力コネクタ５９ｄは、制御対象装置９ｄに設けられた第２入力コネクタ９１３ｄ（詳細は後述）と接続される。第２出力コネクタ５９ｄは、接続される制御対象装置によらず形状やピン配置が固定され規格化されている。このため、通信システム８は、制御対象装置９ｄとは異なる構成の制御対象装置であっても、その制御対象装置に設けられた第２入力コネクタが第２出力コネクタ５９ｄの形状やピン配置に従って構成されていれば接続できるようになっている。
【０１２２】
制御対象装置９ｄは、第１から第３ＬＥＤ９３１ｄ、９３３ｄ、９３５ｄを備えた通報装置９３ｄと、第２出力コネクタ５９ｄに接続されて制御信号ＣＴＬが入力する第２入力コネクタ９５ｄと、制御信号ＣＴＬに基づいて第１から第３ＬＥＤ９３１ｄ、９３３ｄ、９３５ｄのいずれか１つを駆動する駆動信号を生成するＬＥＤ駆動回路（発光素子駆動回路の一例）９１ｄとを有している。
【０１２３】
第１から第３ＬＥＤ９３１ｄ、９３３ｄ、９３５ｄは、復調データＤＭＤに含まれるトリガ信号の種類の情報に対応付けて設けられている。例えば、第１ＬＥＤ９３１ｄは、トリガ信号の種類の情報のうちのパルスエンコーダ７１３ｄの情報に対応付けられている。第２ＬＥＤ９３３ｄは、トリガ信号の種類の情報のうちの照度センサ７１５ｄの情報に対応付けられている。第３ＬＥＤ９３５ｄは、トリガ信号の種類の情報のうちのスイッチ７１１ｄの情報に対応付けられている。制御信号ＣＴＬには、トリガ信号の種類の情報が含まれているので、ＬＥＤ駆動回路９１ｄは、制御信号ＣＴＬに含まれているトリガ信号の種類の情報に応じて駆動する第１から第３ＬＥＤ９３１ｄ、９３３ｄ、９３５ｄのいずれか１つを駆動対象ＬＥＤとして決定できる。また、ＬＥＤ駆動回路９１ｄは、制御信号ＣＴＬに含まれているＬＥＤ駆動用パルス幅に基づいて駆動対象ＬＥＤを駆動する。これにより、入力部７１ｄにおける操作などに対応するＬＥＤが点灯するとともに、輝度が高くなったり低くなったりする。
【０１２４】
（発光システムの通信方法）
本実施形態による発光システム８の通信方法は、トリガ装置７ｄに設けられた複数種類のトリガ信号に応じて制御対象装置９ｄに備えられた複数のＬＥＤのうちの１つを駆動できる点を除き、上記実施形態によるデモンストレーション装置２の通信方法と同様であるため、説明は省略する。
【０１２５】
以上説明したように、本実施形態における発光システム８は、上記実施形態による通信システム１と基本構成が同様の通信システム１ｃを有している。これにより、発光システム８は、上記実施形態による通信システム１と同様の効果が得られる。また、発光システム８は、デモンストレーション装置及び実製品として作製でき、上記実施形態における通報システム６と同様に開発期間の短縮化を図ることができる。
【０１２６】
（デモンストレーション装置の他の構成）
次に、本発明の一実施形態によるデモンストレーション装置の他の構成について図９を用いて説明する。図９は、本実施形態によるデモンストレーション装置１０の概略構成を示すブロック図である。デモンストレーション装置１０は、上記実施形態によるデモンストレーション装置と同様に、トリガ装置７ｅにおいて行われた操作に関する情報をトリガ装置７ｅから離れた場所に無線通信できることをデモンストレーションする装置である。
【０１２７】
図９に示すように、本実施形態によるデモンストレーション装置１０は、トリガ装置群７ｅと、通信システム１ｅと、制御対象装置９ｅとを有している。通信システム１ｅの基本構成は、上記実施形態による通信システム１の構成と同様である。すなわち、デモンストレーション装置１０は、上記実施形態による通信システム１の基本構成をそのまま利用して構成されている。
【０１２８】
トリガ装置群７ｅは、例えばＮ個のトリガ装置７１ｅ−１，７１ｅ−２，・・・，７１ｅ−Ｎと、制御回路７７ｅと、第１出力コネクタ７２ｅとを有している。第１から第Ｎトリガ装置７１ｅ−１，７１ｅ−２，・・・，７１ｅ−Ｎは、通信システム１ｅが用いられる装置やシステムに応じて種々の構成を取り得る。例えばデモンストレーション装置１０の使用者などが操作する操作部品を備えた信号入力装置が第１から第Ｎトリガ装置７１ｅ−１，７１ｅ−２，・・・，７１ｅ−Ｎとして用いられる。第１から第Ｎトリガ装置７１ｅ−１，７１ｅ−２，・・・，７１ｅ−Ｎは、入力信号が入力されると、入力信号が発生した契機となる契機情報と、自己を識別するための識別情報とを含むトリガ信号ＳＩＧを生成して制御回路７７ｅに出力する。
【０１２９】
制御回路７７ｅは、例えば超小型演算装置（Ｍｉｃｒｏ−Ｐｒｏｃｅｓｓｉｎｇ  Ｕｎｉｔ：ＭＰＵ）で構成されている。制御回路７７ｅは、第１から第Ｎトリガ装置７１ｅ−１，７１ｅ−２，・・・，７１ｅ−Ｎから入力するトリガ信号ＳＩＧを一時保留するとともに、入力順に第１出力コネクタ７２ｅを介して送信モジュール３ｅに出力する。トリガ装置群７ｅは、複数のトリガ装置を有しているが、トリガ信号ＳＩＧを時系列に１つずつ出力するように構成されている。すなわち、トリガ装置群７ｅは、複数のトリガ信号ＳＩＧを同時に出力するように構成されていない。このため、トリガ装置群７ｅに設けられる第１出力コネクタ７２ｅは、複数のトリガ装置を有していても、上記実施形態によるデモンストレーション装置２のように１つのトリガ装置７ａを有する場合と同様の構成を有することができる。
【０１３０】
送信モジュール３ｅの基本構成は、上記実施形態における送信モジュール３の構成と同様である。送信モジュール３ｅは、トリガ信号ＳＩＧが入力する第１入力コネクタ３９ｅと、入力データ生成部３１１ｅを備えた送信制御回路３１ｅと、データ変調部３３１を備えた送信回路３３と、ノイズフィルタ３５と、送信アンテナ３７とを有している。
【０１３１】
第１入力コネクタ３９ｅは、トリガ装置群７ｅに設けられた第１出力コネクタ７２ｅと接続されている。第１入力コネクタ３９ｅは、接続されるトリガ装置群７ｅの種類によらず形状やピン配置が固定され規格化されている。このため、デモンストレーション装置１０は、トリガ装置群７ｅとは異なる構成のトリガ装置群であっても、そのトリガ装置群に設けられた第１出力コネクタが第１入力コネクタ３９ｅの形状やピン配置に従って構成されていれば接続できるようになっている。
【０１３２】
送信制御回路３１ｅの基本構成は、上記実施形態における送信制御回路３１の構成と同様である。送信制御回路３１ｅに備えられた入力データ生成部３１１ｅは、トリガ装置群７ｅから入力するトリガ信号ＳＩＧに基づいて入力データＤＡＴＡを生成できるように構成されている。入力データ生成部３１１ｅは、トリガ信号ＳＩＧに含まれている契機情報及び識別情報を含む入力データＤＡＴＡを生成する。
本実施形態では、トリガ装置群７ｅが生成したトリガ信号ＳＩＧに基づいて入力データＤＡＴＡを生成できるように、デモンストレーション装置１０の開発者が例えばパーソナルコンピュータなどによって入力データ生成部３１１ｅの構成を容易に書き換えることができる。
【０１３３】
送信回路３３は、上記実施形態における送信回路３３に対応し、データ変換部３３１は、上記実施形態におけるデータ変調部３３１に対応している。また、ノイズフィルタ３５は、上記実施形態におけるノイズフィルタ３５に対応し、送信アンテナ３７は、上記実施形態における送信アンテナ３７に対応している。
【０１３４】
トリガ信号ＳＩＧはトリガ装置群７ｅの構成によって異なるものの、送信制御回路３１ｅは、所定のフォーマットに基づいて入力データＤＡＴＡを生成している。このため、送信回路３３は、送信制御回路３１ｅと異なり、データ変調部３３１の構成を変更せずに通信システム１に設けられている送信回路３３と同様の構成を有する。これにより、本実施形態における送信回路３３から出力されるＵＨＦ帯の電波ＲＷは、通信システム１の送信回路３３から出力される電波ＲＷと同様となる。このため、ノイズフィルタ３５及び送信アンテナ３７は、上記実施形態における通信システム１に設けられたノイズフィルタ３５及び送信アンテナ３７と同様の構成を有する。
【０１３５】
受信モジュール５ｅの基本構成は、上記実施形態における受信モジュール５の構成と同様である。受信モジュール５ｅは、電波ＲＷを受信する受信アンテナ５７と、電波ＲＷに重畳するノイズを除去するノイズフィルタ５５とを有している。また、受信モジュール５ｅは、受信する電波ＲＷを復調データＤＭＤに復調するデータ復調部５３１を備えた受信回路５３と、復調データＤＭＤに基づく制御信号ＣＴＬを生成する制御信号生成部５１１ｅを備えた受信制御回路５１ｅと、制御信号ＣＴＬを出力する第２出力コネクタ５９ｅとを有している。
【０１３６】
送信モジュール３ｅから送信される電波ＲＷは、上記実施形態における送信モジュール３から送信される電波ＲＷと同様であるため、送信アンテナ５７、ノイズフィルタ５５、受信回路５３及びデータ復調部５３１は、上記実施形態における送信アンテナ５７、ノイズフィルタ５５、受信回路５３及びデータ復調部５３１と同様の構成を有している。
【０１３７】
受信制御回路５１ｅの基本構成は、上記実施形態における受信制御回路５１の構成と同様である。受信制御回路５１ｅに備えられた制御信号生成部５１１ｅは、制御対象装置９ｅを制御する制御信号ＣＴＬを生成できるように構成されている。制御信号生成部５１１ｅは、復調データＤＭＤに含まれている契機情報及び識別情報に基づいて、制御対象装置９ｅを制御する制御信号ＣＴＬを生成する。
本実施形態では、データ復調部５３１が生成した復調データＤＭＤに基づいて、発光装置９ｅを制御する制御信号ＣＴＬを生成できるように、デモンストレーション装置１０の開発者が例えばパーソナルコンピュータなどによって、制御信号生成部５１１ｅの構成を容易に書き換えることができる。
【０１３８】
第２出力コネクタ５９ｅは、制御対象装置９ｅに設けられた第２入力コネクタ９５ｅ（詳細は後述）と接続される。第２出力コネクタ５９ｅは、接続される制御対象装置によらず形状やピン配置が固定され規格化されている。このため、デモンストレーション装置１０は、制御対象装置９ｅとは異なる構成の制御対象装置であっても、その制御対象装置に設けられた第２入力コネクタが第２出力コネクタ５９ｅの形状やピン配置に従って構成されていれば接続できるようになっている。
【０１３９】
制御対象装置９ｅは、第２出力コネクタ５９ｅに接続されて制御信号ＣＴＬが入力する第２入力コネクタ９５ｅと、第２トリガ装置群７ｅに設けられたトリガ装置と同数（本例では、Ｎ個）の通報装置（不図示）と、制御信号ＣＴＬに基づいてこれらの通報装置を駆動する駆動回路（不図示）とを有している。
【０１４０】
Ｎ個の通報装置は、例えば音や光など人間の知覚によって認識可能な手段によってトリガ装置群７ｅにおける操作を通報できる構成を有している。Ｎ個の通報装置はそれぞれ、第１から第Ｎトリガ装置７１ｅ−１，７１ｅ−２，・・・，７１ｅ−Ｎのいずれかに対応付けられている。駆動回路は、制御信号ＣＴＬに含まれた識別情報に基づいて、通報対象の通報装置を決定し、決定した通報装置に制御信号ＣＴＬに基づく駆動信号を出力するように構成されている。これにより、制御対象装置９ｅは、トリガ装置群７ｅに設けられた第１から第Ｎトリガ装置７１ｅ−１，７１ｅ−２，・・・，７１ｅ−Ｎのうち操作されたトリガ装置を通報できる。
【０１４１】
（他のデモンストレーション装置の通信方法）
本実施形態によるデモンストレーション装置１０の通信方法は、トリガ装置群７ｅが複数のトリガ装置を備えてトリガ装置ＳＩＧの出力方法と、制御対象装置９ｅが複数のトリガ装置と同数の通報装置を備えて対応する通報装置に駆動信号を出力する点を除き、上記実施形態による通信システム１の通信方法と同様であるため、説明は省略する。
【０１４２】
以上説明したように、本実施形態によるデモンストレーション装置１０は、上記実施形態による通信システム１と基本構成が同様の通信システム１ｃを有している。これにより、デモンストレーション装置１０は、上記実施形態による通信システム１と同様の効果が得られる。
【０１４３】
デモンストレーション装置１０はそのまま実製品に展開することができる。これにより、実製品の開発期間の短縮化を図ることができる。デモンストレーション装置１０の実製品への適用としては、病院における病室の一括管理や、飲食店における店内のテーブルの一括管理を行うことができる。例えば第１から第Ｎトリガ装置７１ｅ−１，７１ｅ−２，・・・，７１ｅ−Ｎを病室にそれぞれ配置しておき、制御対象装置９ｅを管理室に配置しておくことにより、いずれの病室においてトリガ装置が操作されのかを管理室で一括して管理できる。また、飲食店などのテーブルにトリガ装置を配置しておき、制御対象装置９ｅを厨房などに配置しておくことにより、いずれのテーブルでトリガ装置が操作されたのかを厨房で一括して管理できる。
【０１４４】
本発明は、上記実施形態に限らず、種々の変形が可能である。
上記実施形態におけるデモンストレーション装置１０では、１つの送信モジュールに対して複数のトリガ装置が対応付けられているが、本発明は、これに限られない。例えば、送信モジュールとトリガ装置とが１対１で対応付けられており、対応付けられた送信モジュール及びトリガ装置の組が複数備えられていてもよい。この場合、送信モジュールは、自己を示す識別情報を含めて入力データ及び電波を生成し、受信モジュールは、予め定めた識別情報を含む電波のみを受信するとともに、その識別情報に対応付けられた通報装置を制御する制御信号を制御対象装置に出力されるように構成される。これにより、上記実施形態におけるデモンストレーション装置１０と同様の効果が得られる。
【０１４５】
上記の実施形態は、本発明の技術的思想を具体化するための装置を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【符号の説明】
【０１４６】
１  通信システム
３  送信モジュール
５  受信モジュール
７  トリガ装置
９  制御対象装置
３１  送信制御回路
３３  送信回路
３５，５５  ノイズフィルタ
５１  受信制御回路
５３  受信回路
５７  受信アンテナ
３１１  入力データ生成部
３３１  データ変調部
５３１  データ復調部
５１１  制御信号生成部
【図１】
2016127332.tif 000003
【図２】
2016127332.tif 000004
【図３】
2016127332.tif 000005
【図４】
2016127332.tif 000006
【図５】
2016127332.tif 000007
【図６】
2016127332.tif 000008
【図７】
2016127332.tif 000009
【図８】
2016127332.tif 000010
【図９】
2016127332.tif 000011